(57)【要約】  【課題】  一本のパイプの内部を隔壁により給気経路と排気経路とに二分し、隔壁を螺旋状に形成することにより、弾性変形が可能なパイプの強度を高めると共に曲げ性能をもたせるようにした給排気パイプを提供する。  【解決手段】  弾性変形が可能な一本のパイプ１の内部が、熱伝導率のよい隔壁２によって給気経路3bと排気経路3aとに二分されると共に、前記隔壁２が給排気の流通方向に螺旋状に形成されてなる構成にした。これにより、前記パイプ１全体としての強度を高めることができておしつぶれを防止できるようになり、また、給気ｂおよび排気ａの間の熱交換を更に効率よく促進できると共に、所定の位置で任意の方向に曲げながら引き回しできるようにした給排気パイプＰを提供できる【選択図】  図１
2006258321.tif 000002
【特許請求の範囲】
【請求項１】
隔壁によって給気経路と排気経路とに分けられている給排気パイプにおいて、前記隔壁が給排気の流通方向に螺旋状に形成されてなることを特徴とする給排気パイプ。
【請求項２】
前記隔壁が熱伝導率の高い材料で形成されてなることを特徴とする請求項１に記載の給排気パイプ。
【発明の詳細な説明】
【技術分野】
【０００１】
本発明は、弾性変形が可能な給排気パイプに係わり、より詳細には、一本のパイプの内部を隔壁により給気経路と排気経路とに二分すると共に、隔壁を給排気の流通方向に螺旋状に形成した構造に関する。
【背景技術】
【０００２】
従来の給排気パイプは、パイプの表面温度の低下を抑制し、結露の発生を抑えるものとして、一本のパイプの内部が、パイプの材質とは異なり、熱伝導率の高い材料から形成された隔壁により給気経路と排気経路に二分され、給気と排気が各々の経路に同時に流通する際に、給気と排気の間で熱交換が可能とされてなるものが開示されていた（例えば、特許文献１参照。）。
【０００３】
しかしながら、上記給排気パイプには、隔壁に対して曲げることができる方向と、曲げることができない方向とがあるため、例えばパイプが弾性変形が可能な部材からなる構成であっても、所定の位置で任意の方向に曲げながら給排気パイプの引き回しをすることが困難になるという問題点を有していた。
【０００４】
例えば、隔壁に対し直交する方向にはパイプを曲げることができないが、隔壁に平行な方向にはパイプを曲げることができるようになることから、パイプ全体としての強度が不均一になっておしつぶれが生じてしまうおそれがあった。
【０００５】
また、給気経路と排気経路に給気と排気が各々の経路に同時に流通する際、これら給気と排気が隔壁に直接当たらないため熱交換効率が悪いという問題点を有していた。
【０００６】
【特許文献１】特開２００１−４１８４号公報（第１頁〜第４頁、第１図〜第２図）
【発明の開示】
【発明が解決しようとする課題】
【０００７】
本発明は上記問題点に鑑み、一本のパイプの内部を隔壁により給気経路と排気経路とに二分し、隔壁を給排気の流通方向に螺旋状に形成することにより、弾性変形が可能なパイプの強度を高めると共に曲げ性能をもたせるようにし、給気と排気を隔壁に直接当てることで熱交換効率を高めるようにした給排気パイプを提供することを目的とする。
【課題を解決するための手段】
【０００８】
本発明は上記課題を解決するため、隔壁によって給気経路と排気経路とに分けられている給排気パイプにおいて、前記隔壁が給排気の流通方向に螺旋状に形成されてなる構成となっている。
【０００９】
前記隔壁が熱伝導率の高い材料で形成されてなる構成となっている。
【発明の効果】
【００１０】
本発明によれば、一本のパイプの内部を隔壁により給気経路と排気経路とに二分し、隔壁を給排気の流通方向に螺旋状に形成することにより、弾性変形が可能なパイプの強度を高めると共に曲げ性能をもたせるようにし、給気と排気を隔壁に直接当てることで熱交換効率を高めるようにした給排気パイプを提供できる。
これにより、パイプ全体としての強度を高めることができておしつぶれを防止できるようになり、また、所定の位置で任意の方向に曲げながら引き回しできるようになる。
【発明を実施するための最良の形態】
【００１１】
以下、本発明の実施の形態を、添付図面に基づいた実施例として詳細に説明する。
図１は本発明による給排気パイプの説明図で、（Ａ）はパイプの内部を隔壁により給気経路と排気経路とに二分した状態を示す斜視図であり、（Ｂ）は（Ａ）で示すＡーＡ断面図である。
【実施例１】
【００１２】
実施例１として図に示すように、本発明による給排気パイプＰは、例えば換気機能を備えた空気調和機などに用いられ、弾性変形が可能な一本のパイプ１の内部が、給排気の流通方向に螺旋状に（ねじれるように）形成された隔壁２によって、給気経路3bと排気経路3aとに二分されるように構成されている。
【００１３】
これにより、給気用のパイプおよび排気用のパイプからなる二本のパイプで構成される場合に比べて大幅にコストダウンをはかれるようになり、また、パイプを減らすことで引き回し作業を容易に行なえるようにした構成になっている。
【００１４】
前記パイプ１は、例えばポリプロピレンのような合成樹脂からなる構成にすることにより、断熱性能をもたせると共に弾性変形が可能な構造にする一方、前記隔壁２は、例えば銅やアルミニウム等の熱伝導率の高い材料からなる構成になっている。
【００１５】
これにより、図１（Ａ）に示すように、例えば冬季に室外から取り入れられる低温の給気ｂと、室内で暖められたのち室外に排出される排気ａとが、前記給気経路3bおよび前記排気経路3aに夫々同時に流通する際、前記給気ｂおよび前記排気ａの間で熱交換が可能になる。
【００１６】
つまり、室外から取り入れられる低温の前記給気ｂには、これが前記パイプ１の給気経路3bを流通する際に、前記隔壁２を通じて室内から排出され、前記排気経路3aを同時に流通する前記排気ａからの熱が移るようになって、前記給気ｂは暖められることになる。
【００１７】
その結果、前記給気ｂが流通する前記給気経路3b側のパイプ１の表面温度は、以前の前記給排気パイプＰに比べて高くなる。
【００１８】
一方、前記排気ａの温度は、前記給気ｂとの熱交換によりやや低下するものの、前記排気経路3a側のパイプ１の表面温度の低下はわずかであり、ほぼ室内温度を維持することになる。
【００１９】
したがって、室内で暖められたのち室外に排出される前記排気ａと、冬季に室外から取り入れられた低温の前記給気ｂとの間でエネルギ回収が効率よく行なわれるようになり、また、断熱性能をもたせた前記パイプ１の表面への結露は更に抑制されることになる。
【００２０】
また、前記隔壁２は、図１（Ａ）および図１（Ｂ）に示すように、給排気の流通方向である前記パイプ１の長手方向に螺旋状に形成された構成になっており、これによって、同パイプ１全体としての強度を均一に増強させることができて、おしつぶれを生じさせることがないように曲げることができるようになって、所定の位置で任意の方向（３６０度）に曲げられることを前提にして給排気パイプの引き回しを行なうことが可能になる。
【００２１】
例えば、前記給排気パイプＰは、図１（Ｂ）に示す矢印ｃのように、前記隔壁２に対し平行な方向には曲げることができないが、図１（Ｂ）に示す矢印ｄのように、前記隔壁２に対し直交する方向には曲げることができるようになる。
【００２２】
これにより、とくに前記給排気パイプＰの曲げたい位置において、前記隔壁２の角度を図１（Ｂ）に示す矢印ｄの曲げ方向に直交させるように位置合わせをして曲げることが可能になる。
【００２３】
また、前記隔壁２の長さは、給排気の流通方向に螺旋状に形成されたことで前記パイプ１の長さよりも実質的に長くなる。
【００２４】
そして、前記隔壁２が、例えば銅やアルミニウム等のように熱交換率が高い材料からなる場合、冬季に室外から取り入れられる低温の給気ｂと、室内で暖められたのち室外に排出される排気ａとが、前記給気経路3bおよび前記排気経路3aに夫々同時に流通する際、前記給気ｂおよび前記排気ａを、前記パイプ１の長さよりも長くなった前記隔壁２の両面に強制的に沿わせることができるようになって、これら給気ｂおよび排気ａの間の熱交換を更に効率よく促進できるようになる。
【００２５】
なお、本発明の実施の形態においては、前記パイプ１の内部が前記隔壁２によって二分された状態に基づいて説明をしているが、二分されることに限定しないで、前記給気経路3bおよび前記排気経路3aを夫々複数づつ形成できるように、例えば前記パイプ１の曲げ性能を重要視しない場合には、前記隔壁２によって内部を四つの経路に区画するようにしてもよい。
【００２６】
以上のように、本発明によれば、一本の前記パイプ１の内部を前記隔壁２により給気経路3bと排気経路3aとに二分すると共に、前記隔壁２を給排気の流通方向に螺旋状に形成することによって弾性変形が可能なパイプとしての強度を高めると共に、前記隔壁２の角度を図１（Ｂ）に示す矢印ｄの曲げ方向に直交させるように位置合わせをすることで曲げ性能をもたせることができるようになる。
【００２７】
これにより、前記パイプ１全体としての強度を高めることができておしつぶれを防止できるようになり、また、前記給気ｂおよび前記排気ａの間の熱交換を更に効率よく促進できると共に、所定の位置で任意の方向に曲げながら引き回しできるようにした給排気パイプＰを提供できる。
【図面の簡単な説明】
【００２８】
【図１】本発明による給排気パイプの説明図で、（Ａ）はパイプの内部を隔壁により給気経路と排気経路とに二分した状態を示す斜視図であり、（Ｂ）は（Ａ）で示すＡーＡ断面図である。
【符号の説明】
【００２９】
Ｐ給排気パイプ
１パイプ本体
２隔壁
3a  排気経路
3b  給気経路
ａ  排気
ｂ  給気
【図１】
2006258321.tif 000003